(57)【要約】  ＶＳＢ変調信号に位相誤差変動があっても正しく復調を行う。複数のセグメントで構成され、所定のセグメント同期成分が前記複数のセグメントのそれぞれに含まれているＶＳＢ変調信号を復調するＶＳＢ復調装置であって、前記セグメント同期成分に同期したタイミング信号を生成する伝送路推定部と、前記タイミング信号が示すタイミングに従って前記ＶＳＢ変調信号の位相誤差を検出し、検出された位相誤差の変動に応じた検出信号を出力する位相変動検出部と、フィルタを有し、前記フィルタの係数を更新し、前記ＶＳＢ変調信号に対して波形等化を行う波形等化部とを有する。前記波形等化部は、前記位相誤差の変動が所定の値より大きいことを前記検出信号が示す場合には、前記フィルタの係数更新ゲインを大きくする。
2009041046.tif 000002
【特許請求の範囲】
【請求項１】
それぞれ複数のセグメントを有する複数のフィールドで構成され、所定のＰＮ（Pseudo Noise）系列を含むフィールド同期成分が前記複数のセグメントの１つとして前記複数のフィールドのそれぞれに含まれ、所定の４シンボルで構成されるセグメント同期成分が前記複数のセグメントのそれぞれに含まれているＶＳＢ（Vestigial Sideband）変調信号を復調するＶＳＢ復調装置であって、
前記ＶＳＢ変調信号と前記所定のＰＮ系列との間で畳み込みを行い、得られた演算結果に基づいて前記ＶＳＢ変調信号のセグメント同期成分に同期したタイミング信号を生成する伝送路推定部と、
前記タイミング信号が示すタイミングに従って前記ＶＳＢ変調信号の位相誤差を検出し、検出された位相誤差の変動に応じた検出信号を出力する位相変動検出部と、
フィルタを有し、前記フィルタの係数を更新し、前記ＶＳＢ変調信号に対して波形等化を行う波形等化部とを備え、
前記波形等化部は、前記位相誤差の変動が所定の値より大きいことを前記検出信号が示す場合には、前記フィルタの係数更新ゲインを大きくする
ことを特徴とするＶＳＢ復調装置。
【請求項２】
請求項１に記載のＶＳＢ復調装置において、
前記位相変動検出部は、
前記セグメント同期成分を構成するシンボルのうちの第２シンボルの同相成分と第３シンボルの同相成分との差を前記位相誤差として検出する
ことを特徴とするＶＳＢ復調装置。
【請求項３】
請求項１に記載のＶＳＢ復調装置において、
前記位相変動検出部は、
前記フィールド同期成分であるセグメント以外のセグメントのセグメント同期成分を用いて位相誤差を検出する
ことを特徴とするＶＳＢ復調装置。
【請求項４】
請求項１に記載のＶＳＢ復調装置において、
前記伝送路推定部は、
前記タイミング信号として、前記ＶＳＢ変調信号の遅延波のセグメント同期成分に同期した信号を更に生成する
ことを特徴とするＶＳＢ復調装置。
【請求項５】
それぞれ複数のセグメントを有する複数のフィールドで構成され、所定のＰＮ系列を含むフィールド同期成分が前記複数のセグメントの１つとして前記複数のフィールドのそれぞれに含まれ、所定の４シンボルで構成されるセグメント同期成分が前記複数のセグメントのそれぞれに含まれるようにＶＳＢ変調された高周波信号を受信し、受信された高周波信号に対して選局及びベースバンド信号への変換処理を行い、得られたＶＳＢ変調信号を出力するチューナ部と、
前記チューナ部から出力されたＶＳＢ変調信号を復調する請求項１に記載のＶＳＢ復調装置と、
前記ＶＳＢ復調装置による復調結果にデコード処理を行い、得られた映像／音声信号を出力するバックエンド部とを備える
テレビ受像機。
【発明の詳細な説明】
【技術分野】
【０００１】
本発明は、残留側波帯（ＶＳＢ：Vestigial Sideband）復調装置に関し、特にＶＳＢ変調信号の位相変動による影響を抑える技術に関する。
【背景技術】
【０００２】
ＶＳＢ復調装置は、受信されるＶＳＢ変調信号の主波又はこれよりも遅延した遅延波の位相が変動すると、所要Ｃ／Ｎ比（Carrier to Noise Ratio）が増大する等の悪影響を受けることが一般的に知られている。【０００３】
図１は、北米等で採用されている放送規格（ＡＴＳＣ：Advanced Television Systems Committee）に規定されたデータフレーム構成を示す説明図である。図１のように、各データフレームは２個のデータフィールドで構成され、各データフィールドは３１３個のデータセグメントで構成され、各データセグメントは８３２個のシンボルで構成されている。データセグメントの最初の４シンボルは、セグメント同期成分として規定されている。【０００４】
特許文献１には、図１のフレーム構成に規定されている既存値を利用して、セグメント同期成分の４シンボルの同相成分の総和が０になるようにフィードバック制御を行って位相誤差をキャンセルし、位相誤差、及び低速な主波の位相誤差変動をキャンセルする技術が開示されている。
【特許文献１】特開２００１−１６８９３１号公報
【発明の開示】
【発明が解決しようとする課題】
【０００５】
しかし、セグメント同期成分である４シンボルは前後のシンボルからの影響を大きく受けるので、位相誤差情報には多くのノイズが含まれる。このため、特許文献１の技術によると、位相誤差算出の際の収束時間が長く、かつ、位相誤差を正確に検出することができなかった。【０００６】
ここで、セグメント同期成分に対する前後のシンボルからの影響について説明する。図２（ａ）は、時間０において同相成分として１を送信する場合に、同相成分の信号強度と、送信側のＶＳＢフィルタの影響で発生する直交成分の信号強度との例を示すグラフである。図２（ｂ）は、時間１において同相成分として−１を送信する場合に、同相成分の信号強度と、送信側のＶＳＢフィルタの影響で発生する直交成分の信号強度との例を示すグラフである。図２（ａ），（ｂ）においては、時間はシンボル幅Ｔを単位として表されている。【０００７】
図２（ａ）のように、同相成分が１である時には、その時刻では直交成分は０であるが、１シンボル前の直交成分には−０．７が発生し、１シンボル後の直交成分には０．７が発生する。また、図２（ｂ）のように、同相成分が−１である時には、その時刻では直交成分は０であるが、１シンボル前の直交成分には０．７が発生し、１シンボル後の直交成分には−０．７が発生する。すなわち、セグメント同期成分から位相誤差検出を行う際には、セグメント同期成分の前後のシンボルの影響を大きく受けてしまう。【０００８】
また、特許文献１の技術によると、位相誤差変動が激しい場合には、位相誤差補正部が位相誤差に正確に追従することができなかった。【０００９】
本発明は、受信されるＶＳＢ変調信号に位相誤差変動があっても正しく復調を行うＶＳＢ復調装置を提供することを目的とする。
【課題を解決するための手段】
【００１０】
本発明の一例示的実施形態に係るＶＳＢ復調装置は、それぞれ複数のセグメントを有する複数のフィールドで構成され、所定のＰＮ（Pseudo Noise）系列を含むフィールド同期成分が前記複数のセグメントの１つとして前記複数のフィールドのそれぞれに含まれ、所定の４シンボルで構成されるセグメント同期成分が前記複数のセグメントのそれぞれに含まれているＶＳＢ（Vestigial Sideband）変調信号を復調するＶＳＢ復調装置であって、前記ＶＳＢ変調信号と前記所定のＰＮ系列との間で畳み込みを行い、得られた演算結果に基づいて前記ＶＳＢ変調信号のセグメント同期成分に同期したタイミング信号を生成する伝送路推定部と、前記タイミング信号が示すタイミングに従って前記ＶＳＢ変調信号の位相誤差を検出し、検出された位相誤差の変動に応じた検出信号を出力する位相変動検出部と、フィルタを有し、前記フィルタの係数を更新し、前記ＶＳＢ変調信号に対して波形等化を行う波形等化部とを有する。前記波形等化部は、前記位相誤差の変動が所定の値より大きいことを前記検出信号が示す場合には、前記フィルタの係数更新ゲインを大きくする。【００１１】
これによると、位相誤差変動が所定の値より大きい場合にはフィルタの係数更新ゲインが大きくなるので、位相誤差変動が大きい場合であってもより正しく復調を行うＶＳＢ復調装置を実現することができる。【００１２】
また、本発明の一例示的実施形態に係るテレビ受像機は、それぞれ複数のセグメントを有する複数のフィールドで構成され、所定のＰＮ系列を含むフィールド同期成分が前記複数のセグメントの１つとして前記複数のフィールドのそれぞれに含まれ、所定の４シンボルで構成されるセグメント同期成分が前記複数のセグメントのそれぞれに含まれるようにＶＳＢ変調された高周波信号を受信し、受信された高周波信号に対して選局及びベースバンド信号への変換処理を行い、得られたＶＳＢ変調信号を出力するチューナ部と、前記チューナ部から出力されたＶＳＢ変調信号を復調する前記ＶＳＢ復調装置と、前記ＶＳＢ復調装置による復調結果にデコード処理を行い、得られた映像／音声信号を出力するバックエンド部とを有する。
【発明の効果】
【００１３】
本発明の一例示的実施形態によれば、位相誤差変動の検出結果から波形等化部の係数更新ゲインを適応的に制御するので、大きな位相誤差変動がある信号においても高い復調性能を実現することができる。また、限られたシンボルにおいて位相誤差を検出するので、位相誤差及びその変動を高い精度で検出することができ、複雑な処理を行わないので、回路面積を比較的小さくすることができる。
【図面の簡単な説明】
【００１４】
【図１】図１は、北米等で採用されている放送規格（ＡＴＳＣ）に規定されたデータフレーム構成を示す説明図である。
【図２】図２（ａ）は、時間０において同相成分として１を送信する場合に、同相成分の信号強度と、送信側のＶＳＢフィルタの影響で発生する直交成分の信号強度との例を示すグラフである。図２（ｂ）は、時間１において同相成分として−１を送信する場合に、同相成分の信号強度と、送信側のＶＳＢフィルタの影響で発生する直交成分の信号強度との例を示すグラフである。
【図３】図３は、本発明の実施形態に係るＶＳＢ復調装置の構成を示すブロック図である。
【図４】図４は、図３の位相変動検出部の構成例を示すブロック図である。
【図５】図５は、図３のタイミング信号Ｓ１，Ｓ２、同相成分Ｉ、及び直交成分Ｑの例を示すタイミングチャートである。
【図６】図６（ａ）は、位相誤差がない時におけるセグメント同期成分の第２及び第３シンボルの同相成分及び直交成分を示す説明図である。図６（ｂ）は、正方向の位相誤差がある場合に検出される同相成分を示す説明図である。図６（ｃ）は、負方向の位相誤差がある場合に検出される同相成分を示す説明図である。
【図７】図７は、図３の波形等化部の構成例を示すブロック図である。
【図８】図８は、図３のＶＳＢ復調装置の変形例の構成を示すブロック図である。
【図９】図９は、図８の波形等化部の構成例を示すブロック図である。
【図１０】図１０は、図３のＶＳＢ復調装置を有するテレビ受像機の構成を示すブロック図である。
【符号の説明】
【００１５】
２，２０２  伝送路推定部
３０，２３０Ａ，２３０Ｂ  位相変動検出部
４０，２４０  波形等化部
１００，２００  ＶＳＢ復調装置
１１０  テレビ受像機
１１１  チューナ部
１１３  バックエンド部
【発明を実施するための最良の形態】
【００１６】
以下、本発明の実施の形態について、図面を参照しながら説明する。【００１７】
図３は、本発明の実施形態に係るＶＳＢ復調装置の構成を示すブロック図である。図３のＶＳＢ復調装置は、復調前段部１と、伝送路推定部２と、位相変動検出部３０と、波形等化部４０と、誤り訂正部５とを有している。【００１８】
復調前段部１は、チューナ部等からＶＳＢ変調された受信信号ＶＢＢを受け取り、この信号ＶＢＢに対して、ＡＤ変換、キャリア再生、及びクロック再生の各処理を行い、得られた結果を複素信号であるＶＳＢ変調信号として出力する。このＶＳＢ変調信号は、同相成分Ｉ及び直交成分Ｑから構成されており、図１のようなデータを伝送している。【００１９】
図１のように、ＡＴＳＣで定められたＶＳＢ変調信号は、図１のデータフレームと同様のデータフレームを連続して含んでいる。各データフレームは２個のデータフィールドで構成され、各データフィールドは３１３個のデータセグメントで構成され、各データセグメントは８３２個のシンボルで構成されている。以下では、データフィールド及びデータセグメントを、それぞれフィールド及びセグメントと称する。【００２０】
フィールドを構成する３１３個のセグメントの最初のセグメントは、所定の位置に擬似ランダムシーケンスＰＮ５１１を含むフィールド同期成分として規定されている。また、セグメントを構成する８３２個のシンボルの最初の４シンボルは、セグメント同期成分（第１シンボル：＋Ａ、第２シンボル：−Ａ、第３シンボル：−Ａ、第４シンボル：＋Ａ（Ａは自然数））として規定されている。【００２１】
伝送路推定部２は、同相成分Ｉ及び直交成分Ｑのそれぞれと、擬似ランダムシーケンスＰＮ５１１との間で畳み込みを行い、得られたそれぞれの演算結果を加算し、遅延プロファイルを得る。擬似ランダムシーケンスＰＮ５１１は、特定のシーケンスを有する連続する５１１個のシンボルであって、ＡＴＳＣによって規定されている。伝送路推定部２は、得られた遅延プロファイルにおける最大値がＶＳＢ変調信号の主波（希望波）に対応すると見なし、この主波に同期するフィールドの先頭タイミングを生成し、更に、セグメント同期成分に同期したタイミング信号Ｓ１，Ｓ２を生成する。【００２２】
タイミング信号Ｓ１は、主波のセグメント同期成分である第１〜第４シンボルのうち、第２シンボル時に１、それ以外では０となる信号である。タイミング信号Ｓ２は、セグメント同期成分の第３シンボル時に１、それ以外では０となる信号である。【００２３】
位相変動検出部３０は、同相成分Ｉ及びタイミング信号Ｓ１，Ｓ２に基づいて位相誤差変動を検出し、位相誤差変動がある場合には１を、位相誤差変動がない場合には０を検出信号ＤＳとして出力する。波形等化部４０は、同相成分Ｉ、直交成分Ｑ、及び検出信号ＤＳに基づいて、復調前段部１から出力されたＶＳＢ変調信号に対して遅延波、位相誤差、及び低速な位相誤差変動を除去する波形等化を行い、得られたシンボル値ＳＶを出力する。誤り訂正部５は、シンボル値ＳＶに対して識別及び誤り訂正を行い、その結果をＭＰＥＧ２−ＴＳ（Moving Picture Experts Group 2 - Transport Stream）であるストリームＭＴＳとして出力する。【００２４】
図４は、図３の位相変動検出部３０の構成例を示すブロック図である。位相変動検出部３０は、ホールド部３１，３２と、減算部３３，３６と、ブロック平均部３４と、ＲＡＭ（Random Access Memory）３５と、閾値比較部３７とを有している。【００２５】
ホールド部３１は、タイミング信号Ｓ１が１である時の同相成分Ｉの値を保持し、値ＶＳ１として出力する。ホールド部３２は、タイミング信号Ｓ２が１である時の同相成分Ｉの値を保持し、値ＶＳ２として出力する。減算部３３は、値ＶＳ２から値ＶＳ１を減算し、減算結果を誤差情報ＥＲとして出力する。ブロック平均部３４は、１セグメント毎に算出される誤差情報ＥＲを５回分平均し、得られた結果を５セグメント毎に位相誤差ＰＥとして出力する。【００２６】
ＲＡＭ３５は、位相誤差ＰＥを格納し、これを１００セグメント分の時間だけ遅延させて遅延位相誤差ＤＰＥとして出力する。減算部３６は、位相誤差ＰＥから遅延位相誤差ＤＰＥを減算し、減算結果の絶対値を位相変動量ＶＰＥとして出力する。閾値比較部３７は、位相変動量ＶＰＥを所定の閾値と比較し、位相変動量ＶＰＥが閾値より大きい場合には１を、位相変動量ＶＰＥが閾値以下である場合には０を、検出信号ＤＳとして出力する。【００２７】
図５は、図３のタイミング信号Ｓ１，Ｓ２、同相成分Ｉ、及び直交成分Ｑの例を示すタイミングチャートである。ここでは、入力されるＶＳＢ変調信号は、遅延波、ノイズ、及び位相誤差を含まない理想的な信号であるとし、同相成分の絶対値Ａは、例として１であるとしている。このとき、セグメント同期成分の第１〜第４シンボルのそれぞれの同相成分Ｉ１，Ｉ２，Ｉ３，Ｉ４は、
Ｉ１＝１，  Ｉ２＝−１，  Ｉ３＝−１，  Ｉ４＝１
のように定められる。例として、タイミング信号Ｓ１は第２シンボル時にのみ“Ｌ”になり、タイミング信号Ｓ２は第３シンボル時にのみ“Ｌ”になるとする。【００２８】
図２を参照して説明したように、送信側のＶＳＢフィルタの影響により、あるシンボルの直交成分Ｑは、その前後のシンボルの同相成分Ｉの影響を受ける。セグメント同期成分である４つのシンボルの１シンボル前の同相成分Ｉの値をＸ、セグメント同期成分である４つのシンボルの１シンボル後の同相成分Ｉの値をＹとし、図２（ａ）及び図２（ｂ）に示された同相成分と直交成分との間の関係を用いると、セグメント同期成分の第１〜第４シンボルのそれぞれの直交成分Ｑ１，Ｑ２，Ｑ３，Ｑ４は、
Ｑ１＝０．７＋０．７Ｘ
Ｑ２＝１．４
Ｑ３＝−１．４
Ｑ４＝−（０．７＋０．７Ｙ）
となる。すなわち、セグメント同期成分の第１及び第４シンボルの直交成分Ｑ１，Ｑ４はセグメント同期成分の前後の不確定な値（Ｘ，Ｙ）の影響を大きく受けるのに対し、セグメント同期成分の第２及び第３シンボルの直交成分Ｑ２，Ｑ３は不確定な値の影響を受けないことが分かる。【００２９】
図６（ａ）は、位相誤差がない時に検出されるセグメント同期成分の第２及び第３シンボルの同相成分及び直交成分を示す説明図である。図６（ｂ）は、正方向の位相誤差がある場合に検出される同相成分を示す説明図である。図６（ｃ）は、負方向の位相誤差がある場合に検出される同相成分を示す説明図である。【００３０】
図４の減算部３３は、セグメント同期成分の第２シンボルの同相成分と第３シンボルの同相成分との差を誤差情報ＥＲとして求める。図６（ｂ），（ｃ）に示されているように、第２シンボルの同相成分は、同相成分Ｉ２及び直交成分Ｑ２が時間軸の周りを実際の位相誤差だけ回転した結果の垂直方向成分である２つのベクトルの和に相当する。第３シンボルの同相成分は、同相成分Ｉ３及び直交成分Ｑ３が同様に回転した結果の垂直方向成分である２つのベクトルの和に相当する。【００３１】
図５を参照して説明したように、直交成分Ｑ２，Ｑ３の絶対値は、それぞれ、同相成分Ｉ２，Ｉ３の絶対値より大きい。直交成分が大きいので、図６（ｂ），（ｃ）に示すように正方向又は負方向の位相誤差が発生しているときに、絶対値の大きな値が位相誤差として得られ、位相誤差を高精度に検出することができる。【００３２】
このように、図４の位相変動検出部３０によれば、セグメント同期成分中の第２及び第３シンボルの同相成分を用いるので、セグメント同期成分の前後のシンボルの影響をほとんど受けず、位相誤差を高精度で検出することが可能になる。【００３３】
また、フィールド同期成分であるセグメント（例えば図１の先頭のセグメント）のセグメント同期成分を用いず、それ以外のセグメントのセグメント同期成分を用いて位相誤差を検出するようにしてもよい。すると、擬似ランダムシーケンスＰＮ５１１によるセグメント同期成分への干渉の影響を受けないようにすることができ、より高精度の位相誤差検出が可能になる。【００３４】
図７は、図３の波形等化部４０の構成例を示すブロック図である。波形等化部４０は、ｎ個の遅延器４１と、ｎ＋１個の乗算器４２と、加算部４３と、フィルタ係数算出部４４とを有している。ｎ個の遅延器４１、ｎ＋１個の乗算器４２、及び加算部４３は、フィルタを構成している。【００３５】
図７の左端の遅延器４１は、入力される同相成分Ｉと直交成分Ｑと（以下では、これらをまとめて信号Ｘ０と称する）を１シンボル遅延させて、次段の遅延器４１に信号Ｘ１として出力する。他の遅延器４１も同様に、入力された信号を１シンボルずつ遅延させて、信号Ｘ２，Ｘ３，…，Ｘｍ，…，Ｘｎとして出力する（ｎ，ｍは、０以上の整数）。ｎ＋１個の乗算器４２は、それぞれに対応する信号Ｘｍとフィルタ係数Ｃｍとを乗算し（０≦ｍ≦ｎ）、得られた乗算結果を加算部４３に出力する。加算部４３は、全ての乗算器４２の乗算結果を加算して、得られたシンボル値ＳＶを出力する。【００３６】
フィルタ係数算出部４４は、遅延器４１が信号を１シンボルずつ遅延させる毎に、各フィルタ係数Ｃｍを更新する。このとき、フィルタ係数算出部４４は、フィルタ係数Ｃｍ毎に、シンボル値ＳＶと期待値との間の差と、フィルタ係数Ｃｍに対する係数更新ゲインと、信号Ｘｍとを乗算し、乗算結果を累積して、得られた累積値を新たなフィルタ係数Ｃｍとして出力する。ここで、主波に対応するタップのフィルタ係数がＣａであるとする（ａは０≦ａ≦ｎを満たす整数）。フィルタ係数算出部４４は、検出信号ＤＳが１である場合には、フィルタ係数Ｃａに対する係数更新ゲインのみを検出信号ＤＳが０である場合よりも大きくする（例えば４倍にする）。【００３７】
このように、図７の波形等化部４０は、位相誤差変動に応じて係数更新ゲインを適応制御するので、位相誤差変動がある場合であっても精度の高い復調が可能となる。【００３８】
なお、位相変動検出部３０に関して、誤差情報ＥＲを平均する回数や、位相誤差ＰＥを遅延させる時間を例示して説明したが、他の回数や他の時間を採用してもよい。【００３９】
また、位相誤差ＰＥを遅延させる時間として複数通りの時間（例えば１００セグメントに相当する時間及び２０セグメントに相当する時間）を設定し、位相変動検出部３０が設定された時間に対応する位相誤差変動の有無を求めるようにしてもよい。この場合、検出信号ＤＳが、設定された時間に対応させて閾値との比較結果を表すようにし、検出信号ＤＳに応じてより細かく係数更新ゲインを制御するようにしてもよい。【００４０】
また、フィルタ係数算出部４４が、特定のフィルタ係数についてのみ係数更新ゲインを大きくすると説明したが、その周辺の複数のフィルタ係数についても係数更新ゲインを大きくするようにしてもよいし、全てのフィルタ係数について係数更新ゲインを大きくするようにしてもよい。【００４１】
また、波形等化部４０として最も単純な構成例を示したが、波形等化部４０の構成はこれには限らない。【００４２】
図８は、図３のＶＳＢ復調装置の変形例の構成を示すブロック図である。図８のＶＳＢ復調装置２００は、位相変動検出部３０に代えて位相変動検出部２３０Ａ，２３０Ｂを有し、伝送路推定部２及び波形等化部４０に代えて伝送路推定部２０２及び波形等化部２４０を有している点の他は、図３のＶＳＢ復調装置１００と同様に構成されている。【００４３】
伝送路推定部２０２は、図３の伝送路推定部２と同様に遅延プロファイルを求める。伝送路推定部２０２は、得られた遅延プロファイルにおける最大値がＶＳＢ変調信号の主波に対応し、２番目に大きい極大値がＶＳＢ変調信号の遅延波に対応すると見なし、これらの主波及び遅延波に同期するフィールドの先頭タイミングを生成し、更にタイミング信号ＳＤ１，ＳＤ２を生成する。【００４４】
タイミング信号ＳＤ１の上位１ビットは、主波のセグメント同期成分のうち、第２シンボル時に１、それ以外では０となる。タイミング信号ＳＤ２の上位１ビットは、主波のセグメント同期成分の第３シンボル時に１、それ以外では０となる。タイミング信号ＳＤ１の下位１ビットは、遅延波のセグメント同期成分のうち、第２シンボル時に１、それ以外では０となる。タイミング信号ＳＤ２の下位１ビットは、遅延波のセグメント同期成分の第３シンボル時に１、それ以外では０となる。また、伝送路推定部２０２は、主波と遅延波との間の遅延差を遅延情報ＤＩとして出力する。【００４５】
位相変動検出部２３０Ａは、タイミング信号Ｓ１，Ｓ２に代えてタイミング信号ＳＤ１，ＳＤ２の上位１ビットが入力される点の他は、図４の位相変動検出部３０と同様に構成されている。位相変動検出部２３０Ｂは、タイミング信号Ｓ１，Ｓ２に代えてタイミング信号ＳＤ１，ＳＤ２の下位１ビットが入力される点の他は、図４の位相変動検出部３０と同様に構成されている。また、位相変動検出部２３０Ａ，２３０Ｂは、閾値との比較結果を検出信号ＤＳＤの上位１ビット及び下位１ビットとしてそれぞれ出力する。【００４６】
図９は、図８の波形等化部２４０の構成例を示すブロック図である。波形等化部２４０は、フィルタ係数算出部４４に代えてフィルタ係数算出部２４４を有している点の他は、図７の波形等化部４０と同様に構成されている。いま、主波と遅延波との間の遅延差を表す遅延情報ＤＩがｂ−ａを示していて、主波に対応するタップのフィルタ係数がＣａであるとする（ａ，ｂは０≦ａ＜ｂ≦ｎを満たす整数）。このとき、遅延波に対応するタップのフィルタ係数はＣｂである。【００４７】
フィルタ係数算出部２４４は、検出信号ＤＳＤの上位ビットが０、下位ビットが１である（遅延波にのみ位相誤差変動がある）場合には、フィルタ係数Ｃｂに対する係数更新ゲインのみを大きく（例えば４倍に）する。また、フィルタ係数算出部２４４は、検出信号ＤＳＤの上位ビットが１、下位ビットが０である（主波にのみ位相誤差変動がある）場合には、フィルタ係数Ｃａに対する係数更新ゲインのみを大きく（例えば４倍に）する。フィルタ係数算出部２４４は、その他の点は図７のフィルタ係数算出部４４と同様である。【００４８】
このように、図８のＶＳＢ復調装置によると、遅延波に対しても位相誤差変動を検出することが可能となり、特に、主波又は遅延波のいずれか一方のみに位相誤差変動があるような場合にも、精度の高い復調が可能となる。【００４９】
なお、フィルタ係数算出部２４４が、特定のフィルタ係数についてのみ係数更新ゲインを大きくすると説明したが、その周辺の複数のフィルタ係数についても係数更新ゲインを大きくするようにしてもよい。【００５０】
図１０は、図３のＶＳＢ復調装置１００を有するテレビ受像機１１０の構成を示すブロック図である。テレビ受像機１１０は、チューナ部１１１と、図３のＶＳＢ復調装置１００と、バックエンド部１１３とを有している。【００５１】
チューナ部１１１は、ＶＳＢ変調された高周波信号ＶＢＲをアンテナ等から受信し、高周波信号ＶＢＲに対して選局及びベースバンド信号への変換処理を行い、得られたＶＳＢ変調された受信信号ＶＢＢを出力する。ＶＳＢ復調装置１００は、上述のように受信信号ＶＢＢに対して復調処理を行い、得られたストリームＭＴＳを復調結果として出力する。バックエンド部１１３は、ストリームＭＴＳに対してデコード処理を行い、得られた映像／音声信号ＡＶＳを出力する。【００５２】
ＶＳＢ復調装置１００は、位相誤差変動がある場合であっても精度の高い復調が可能であるので、テレビ受像機１１０は、受信環境が変動する（例えば自動車の往来が多い）場所においても、綺麗な映像／音声信号を出力することが可能である。【００５３】
なお、図１０のテレビ受像機において、ＶＳＢ復調装置１００に代えて、図８のＶＳＢ復調装置２００を用いるようにしてもよい。
【産業上の利用可能性】
【００５４】
以上説明したように、本発明は、その一例示的実施形態によると、位相誤差変動がある場合であっても精度の高い復調が可能であるので、復調装置やこれを用いたテレビ受像機等について有用である。
【図１】
2009041046.tif 000003
【図２】
2009041046.tif 000004
【図３】
2009041046.tif 000005
【図４】
2009041046.tif 000006
【図５】
2009041046.tif 000007
【図６】
2009041046.tif 000008
【図７】
2009041046.tif 000009
【図８】
2009041046.tif 000010
【図９】
2009041046.tif 000011
【図１０】
2009041046.tif 000012
【手続補正書】
【提出日】平成21年3月9日(2009.3.9)
【手続補正１】
【補正対象書類名】特許請求の範囲
【補正対象項目名】全文
【補正方法】変更
【補正の内容】
【特許請求の範囲】
【請求項１】
それぞれ複数のセグメントを有する複数のフィールドで構成され、所定のＰＮ（Pseudo Noise）系列を含むフィールド同期成分が前記複数のセグメントの１つとして前記複数のフィールドのそれぞれに含まれ、所定の４シンボルで構成されるセグメント同期成分が前記複数のセグメントのそれぞれに含まれているＶＳＢ（Vestigial Sideband）変調信号を復調するＶＳＢ復調装置であって、
前記ＶＳＢ変調信号と前記所定のＰＮ系列との間で畳み込みを行い、得られた演算結果に基づいて前記ＶＳＢ変調信号のセグメント同期成分に同期したタイミング信号を生成する伝送路推定部と、
前記タイミング信号が示すタイミングに従って前記ＶＳＢ変調信号の位相誤差を検出し、検出された位相誤差の変動に応じた検出信号を出力する位相変動検出部と、
フィルタを有し、前記フィルタの係数を更新し、前記ＶＳＢ変調信号に対して波形等化を行う波形等化部とを備え、
前記波形等化部は、前記位相誤差の変動が所定の値より大きいことを前記検出信号が示す場合には、前記フィルタの係数更新ゲインを大きくする
ことを特徴とするＶＳＢ復調装置。
【請求項２】
請求項１に記載のＶＳＢ復調装置において、
前記位相変動検出部は、
前記セグメント同期成分を構成するシンボルのうちの第２シンボルの同相成分と第３シンボルの同相成分との差を前記位相誤差として検出する
ことを特徴とするＶＳＢ復調装置。
【請求項３】
請求項１に記載のＶＳＢ復調装置において、
前記位相変動検出部は、
前記フィールド同期成分であるセグメント以外のセグメントのセグメント同期成分を用いて位相誤差を検出する
ことを特徴とするＶＳＢ復調装置。
【請求項４】
請求項１に記載のＶＳＢ復調装置において、
前記伝送路推定部は、
前記タイミング信号として、前記ＶＳＢ変調信号の遅延波のセグメント同期成分に同期した信号を更に生成する
ことを特徴とするＶＳＢ復調装置。
【請求項５】
それぞれ複数のセグメントを有する複数のフィールドで構成され、所定のＰＮ系列を含むフィールド同期成分が前記複数のセグメントの１つとして前記複数のフィールドのそれぞれに含まれ、所定の４シンボルで構成されるセグメント同期成分が前記複数のセグメントのそれぞれに含まれるようにＶＳＢ変調された高周波信号を受信し、受信された高周波信号に対して選局及びベースバンド信号への変換処理を行い、得られたＶＳＢ変調信号を出力するチューナ部と、
前記チューナ部から出力されたＶＳＢ変調信号を復調する請求項１に記載のＶＳＢ復調装置と、
前記ＶＳＢ復調装置による復調結果にデコード処理を行い、得られた映像／音声信号を出力するバックエンド部とを備える
テレビ受像機。
【手続補正２】
【補正対象書類名】明細書
【補正対象項目名】全文
【補正方法】変更
【補正の内容】
【発明の詳細な説明】
【技術分野】
【０００１】
本発明は、残留側波帯（ＶＳＢ：Vestigial Sideband）復調装置に関し、特にＶＳＢ変調信号の位相変動による影響を抑える技術に関する。
【背景技術】
【０００２】
ＶＳＢ復調装置は、受信されるＶＳＢ変調信号の主波又はこれよりも遅延した遅延波の位相が変動すると、所要Ｃ／Ｎ比（Carrier to Noise Ratio）が増大する等の悪影響を受けることが一般的に知られている。
【０００３】
図１は、北米等で採用されている放送規格（ＡＴＳＣ：Advanced Television Systems Committee）に規定されたデータフレーム構成を示す説明図である。図１のように、各データフレームは２個のデータフィールドで構成され、各データフィールドは３１３個のデータセグメントで構成され、各データセグメントは８３２個のシンボルで構成されている。データセグメントの最初の４シンボルは、セグメント同期成分として規定されている。
【０００４】
特許文献１には、図１のフレーム構成に規定されている既存値を利用して、セグメント同期成分の４シンボルの同相成分の総和が０になるようにフィードバック制御を行って位相誤差をキャンセルし、位相誤差、及び低速な主波の位相誤差変動をキャンセルする技術が開示されている。
【特許文献１】特開２００１−１６８９３１号公報
【発明の開示】
【発明が解決しようとする課題】
【０００５】
しかし、セグメント同期成分である４シンボルは前後のシンボルからの影響を大きく受けるので、位相誤差情報には多くのノイズが含まれる。このため、特許文献１の技術によると、位相誤差算出の際の収束時間が長く、かつ、位相誤差を正確に検出することができなかった。
【０００６】
ここで、セグメント同期成分に対する前後のシンボルからの影響について説明する。図２（ａ）は、時間０において同相成分として１を送信する場合に、同相成分の信号強度と、送信側のＶＳＢフィルタの影響で発生する直交成分の信号強度との例を示すグラフである。図２（ｂ）は、時間１において同相成分として−１を送信する場合に、同相成分の信号強度と、送信側のＶＳＢフィルタの影響で発生する直交成分の信号強度との例を示すグラフである。図２（ａ），（ｂ）においては、時間はシンボル幅Ｔを単位として表されている。
【０００７】
図２（ａ）のように、同相成分が１である時には、その時刻では直交成分は０であるが、１シンボル前の直交成分には−０．７が発生し、１シンボル後の直交成分には０．７が発生する。また、図２（ｂ）のように、同相成分が−１である時には、その時刻では直交成分は０であるが、１シンボル前の直交成分には０．７が発生し、１シンボル後の直交成分には−０．７が発生する。すなわち、セグメント同期成分から位相誤差検出を行う際には、セグメント同期成分の前後のシンボルの影響を大きく受けてしまう。
【０００８】
また、特許文献１の技術によると、位相誤差変動が激しい場合には、位相誤差補正部が位相誤差に正確に追従することができなかった。
【０００９】
本発明は、受信されるＶＳＢ変調信号に位相誤差変動があっても正しく復調を行うＶＳＢ復調装置を提供することを目的とする。
【課題を解決するための手段】
【００１０】
本発明の一例示的実施形態に係るＶＳＢ復調装置は、それぞれ複数のセグメントを有する複数のフィールドで構成され、所定のＰＮ（Pseudo Noise）系列を含むフィールド同期成分が前記複数のセグメントの１つとして前記複数のフィールドのそれぞれに含まれ、所定の４シンボルで構成されるセグメント同期成分が前記複数のセグメントのそれぞれに含まれているＶＳＢ（Vestigial Sideband）変調信号を復調するＶＳＢ復調装置であって、前記ＶＳＢ変調信号と前記所定のＰＮ系列との間で畳み込みを行い、得られた演算結果に基づいて前記ＶＳＢ変調信号のセグメント同期成分に同期したタイミング信号を生成する伝送路推定部と、前記タイミング信号が示すタイミングに従って前記ＶＳＢ変調信号の位相誤差を検出し、検出された位相誤差の変動に応じた検出信号を出力する位相変動検出部と、フィルタを有し、前記フィルタの係数を更新し、前記ＶＳＢ変調信号に対して波形等化を行う波形等化部とを有する。前記波形等化部は、前記位相誤差の変動が所定の値より大きいことを前記検出信号が示す場合には、前記フィルタの係数更新ゲインを大きくする。
【００１１】
これによると、位相誤差変動が所定の値より大きい場合にはフィルタの係数更新ゲインが大きくなるので、位相誤差変動が大きい場合であってもより正しく復調を行うＶＳＢ復調装置を実現することができる。
【００１２】
また、本発明の一例示的実施形態に係るテレビ受像機は、それぞれ複数のセグメントを有する複数のフィールドで構成され、所定のＰＮ系列を含むフィールド同期成分が前記複数のセグメントの１つとして前記複数のフィールドのそれぞれに含まれ、所定の４シンボルで構成されるセグメント同期成分が前記複数のセグメントのそれぞれに含まれるようにＶＳＢ変調された高周波信号を受信し、受信された高周波信号に対して選局及びベースバンド信号への変換処理を行い、得られたＶＳＢ変調信号を出力するチューナ部と、前記チューナ部から出力されたＶＳＢ変調信号を復調する前記ＶＳＢ復調装置と、前記ＶＳＢ復調装置による復調結果にデコード処理を行い、得られた映像／音声信号を出力するバックエンド部とを有する。
【発明の効果】
【００１３】
本発明の一例示的実施形態によれば、位相誤差変動の検出結果から波形等化部の係数更新ゲインを適応的に制御するので、大きな位相誤差変動がある信号においても高い復調性能を実現することができる。また、限られたシンボルにおいて位相誤差を検出するので、位相誤差及びその変動を高い精度で検出することができ、複雑な処理を行わないので、回路面積を比較的小さくすることができる。
【発明を実施するための最良の形態】
【００１４】
以下、本発明の実施の形態について、図面を参照しながら説明する。
【００１５】
図３は、本発明の実施形態に係るＶＳＢ復調装置の構成を示すブロック図である。図３のＶＳＢ復調装置は、復調前段部１と、伝送路推定部２と、位相変動検出部３０と、波形等化部４０と、誤り訂正部５とを有している。
【００１６】
復調前段部１は、チューナ部等からＶＳＢ変調された受信信号ＶＢＢを受け取り、この信号ＶＢＢに対して、ＡＤ変換、キャリア再生、及びクロック再生の各処理を行い、得られた結果を複素信号であるＶＳＢ変調信号として出力する。このＶＳＢ変調信号は、同相成分Ｉ及び直交成分Ｑから構成されており、図１のようなデータを伝送している。
【００１７】
図１のように、ＡＴＳＣで定められたＶＳＢ変調信号は、図１のデータフレームと同様のデータフレームを連続して含んでいる。各データフレームは２個のデータフィールドで構成され、各データフィールドは３１３個のデータセグメントで構成され、各データセグメントは８３２個のシンボルで構成されている。以下では、データフィールド及びデータセグメントを、それぞれフィールド及びセグメントと称する。
【００１８】
フィールドを構成する３１３個のセグメントの最初のセグメントは、所定の位置に擬似ランダムシーケンスＰＮ５１１を含むフィールド同期成分として規定されている。また、セグメントを構成する８３２個のシンボルの最初の４シンボルは、セグメント同期成分（第１シンボル：＋Ａ、第２シンボル：−Ａ、第３シンボル：−Ａ、第４シンボル：＋Ａ（Ａは自然数））として規定されている。
【００１９】
伝送路推定部２は、同相成分Ｉ及び直交成分Ｑのそれぞれと、擬似ランダムシーケンスＰＮ５１１との間で畳み込みを行い、得られたそれぞれの演算結果を加算し、遅延プロファイルを得る。擬似ランダムシーケンスＰＮ５１１は、特定のシーケンスを有する連続する５１１個のシンボルであって、ＡＴＳＣによって規定されている。伝送路推定部２は、得られた遅延プロファイルにおける最大値がＶＳＢ変調信号の主波（希望波）に対応すると見なし、この主波に同期するフィールドの先頭タイミングを生成し、更に、セグメント同期成分に同期したタイミング信号Ｓ１，Ｓ２を生成する。
【００２０】
タイミング信号Ｓ１は、主波のセグメント同期成分である第１〜第４シンボルのうち、第２シンボル時に１、それ以外では０となる信号である。タイミング信号Ｓ２は、セグメント同期成分の第３シンボル時に１、それ以外では０となる信号である。
【００２１】
位相変動検出部３０は、同相成分Ｉ及びタイミング信号Ｓ１，Ｓ２に基づいて位相誤差変動を検出し、位相誤差変動がある場合には１を、位相誤差変動がない場合には０を検出信号ＤＳとして出力する。波形等化部４０は、同相成分Ｉ、直交成分Ｑ、及び検出信号ＤＳに基づいて、復調前段部１から出力されたＶＳＢ変調信号に対して遅延波、位相誤差、及び低速な位相誤差変動を除去する波形等化を行い、得られたシンボル値ＳＶを出力する。誤り訂正部５は、シンボル値ＳＶに対して識別及び誤り訂正を行い、その結果をＭＰＥＧ２−ＴＳ（Moving Picture Experts Group 2 - Transport Stream）であるストリームＭＴＳとして出力する。
【００２２】
図４は、図３の位相変動検出部３０の構成例を示すブロック図である。位相変動検出部３０は、ホールド部３１，３２と、減算部３３，３６と、ブロック平均部３４と、ＲＡＭ（Random Access Memory）３５と、閾値比較部３７とを有している。
【００２３】
ホールド部３１は、タイミング信号Ｓ１が１である時の同相成分Ｉの値を保持し、値ＶＳ１として出力する。ホールド部３２は、タイミング信号Ｓ２が１である時の同相成分Ｉの値を保持し、値ＶＳ２として出力する。減算部３３は、値ＶＳ２から値ＶＳ１を減算し、減算結果を誤差情報ＥＲとして出力する。ブロック平均部３４は、１セグメント毎に算出される誤差情報ＥＲを５回分平均し、得られた結果を５セグメント毎に位相誤差ＰＥとして出力する。
【００２４】
ＲＡＭ３５は、位相誤差ＰＥを格納し、これを１００セグメント分の時間だけ遅延させて遅延位相誤差ＤＰＥとして出力する。減算部３６は、位相誤差ＰＥから遅延位相誤差ＤＰＥを減算し、減算結果の絶対値を位相変動量ＶＰＥとして出力する。閾値比較部３７は、位相変動量ＶＰＥを所定の閾値と比較し、位相変動量ＶＰＥが閾値より大きい場合には１を、位相変動量ＶＰＥが閾値以下である場合には０を、検出信号ＤＳとして出力する。
【００２５】
図５は、図３のタイミング信号Ｓ１，Ｓ２、同相成分Ｉ、及び直交成分Ｑの例を示すタイミングチャートである。ここでは、入力されるＶＳＢ変調信号は、遅延波、ノイズ、及び位相誤差を含まない理想的な信号であるとし、同相成分の絶対値Ａは、例として１であるとしている。このとき、セグメント同期成分の第１〜第４シンボルのそれぞれの同相成分Ｉ１，Ｉ２，Ｉ３，Ｉ４は、
Ｉ１＝１，  Ｉ２＝−１，  Ｉ３＝−１，  Ｉ４＝１
のように定められる。例として、タイミング信号Ｓ１は第２シンボル時にのみ“Ｌ”になり、タイミング信号Ｓ２は第３シンボル時にのみ“Ｌ”になるとする。
【００２６】
図２を参照して説明したように、送信側のＶＳＢフィルタの影響により、あるシンボルの直交成分Ｑは、その前後のシンボルの同相成分Ｉの影響を受ける。セグメント同期成分である４つのシンボルの１シンボル前の同相成分Ｉの値をＸ、セグメント同期成分である４つのシンボルの１シンボル後の同相成分Ｉの値をＹとし、図２（ａ）及び図２（ｂ）に示された同相成分と直交成分との間の関係を用いると、セグメント同期成分の第１〜第４シンボルのそれぞれの直交成分Ｑ１，Ｑ２，Ｑ３，Ｑ４は、
Ｑ１＝０．７＋０．７Ｘ
Ｑ２＝１．４
Ｑ３＝−１．４
Ｑ４＝−（０．７＋０．７Ｙ）
となる。すなわち、セグメント同期成分の第１及び第４シンボルの直交成分Ｑ１，Ｑ４はセグメント同期成分の前後の不確定な値（Ｘ，Ｙ）の影響を大きく受けるのに対し、セグメント同期成分の第２及び第３シンボルの直交成分Ｑ２，Ｑ３は不確定な値の影響を受けないことが分かる。
【００２７】
図６（ａ）は、位相誤差がない時に検出されるセグメント同期成分の第２及び第３シンボルの同相成分及び直交成分を示す説明図である。図６（ｂ）は、正方向の位相誤差がある場合に検出される同相成分を示す説明図である。図６（ｃ）は、負方向の位相誤差がある場合に検出される同相成分を示す説明図である。
【００２８】
図４の減算部３３は、セグメント同期成分の第２シンボルの同相成分と第３シンボルの同相成分との差を誤差情報ＥＲとして求める。図６（ｂ），（ｃ）に示されているように、第２シンボルの同相成分は、同相成分Ｉ２及び直交成分Ｑ２が時間軸の周りを実際の位相誤差だけ回転した結果の垂直方向成分である２つのベクトルの和に相当する。第３シンボルの同相成分は、同相成分Ｉ３及び直交成分Ｑ３が同様に回転した結果の垂直方向成分である２つのベクトルの和に相当する。
【００２９】
図５を参照して説明したように、直交成分Ｑ２，Ｑ３の絶対値は、それぞれ、同相成分Ｉ２，Ｉ３の絶対値より大きい。直交成分が大きいので、図６（ｂ），（ｃ）に示すように正方向又は負方向の位相誤差が発生しているときに、絶対値の大きな値が位相誤差として得られ、位相誤差を高精度に検出することができる。
【００３０】
このように、図４の位相変動検出部３０によれば、セグメント同期成分中の第２及び第３シンボルの同相成分を用いるので、セグメント同期成分の前後のシンボルの影響をほとんど受けず、位相誤差を高精度で検出することが可能になる。
【００３１】
また、フィールド同期成分であるセグメント（例えば図１の先頭のセグメント）のセグメント同期成分を用いず、それ以外のセグメントのセグメント同期成分を用いて位相誤差を検出するようにしてもよい。すると、擬似ランダムシーケンスＰＮ５１１によるセグメント同期成分への干渉の影響を受けないようにすることができ、より高精度の位相誤差検出が可能になる。
【００３２】
図７は、図３の波形等化部４０の構成例を示すブロック図である。波形等化部４０は、ｎ個の遅延器４１と、ｎ＋１個の乗算器４２と、加算部４３と、フィルタ係数算出部４４とを有している。ｎ個の遅延器４１、ｎ＋１個の乗算器４２、及び加算部４３は、フィルタを構成している。
【００３３】
図７の左端の遅延器４１は、入力される同相成分Ｉと直交成分Ｑと（以下では、これらをまとめて信号Ｘ０と称する）を１シンボル遅延させて、次段の遅延器４１に信号Ｘ１として出力する。他の遅延器４１も同様に、入力された信号を１シンボルずつ遅延させて、信号Ｘ２，Ｘ３，…，Ｘｍ，…，Ｘｎとして出力する（ｎ，ｍは、０以上の整数）。ｎ＋１個の乗算器４２は、それぞれに対応する信号Ｘｍとフィルタ係数Ｃｍとを乗算し（０≦ｍ≦ｎ）、得られた乗算結果を加算部４３に出力する。加算部４３は、全ての乗算器４２の乗算結果を加算して、得られたシンボル値ＳＶを出力する。
【００３４】
フィルタ係数算出部４４は、遅延器４１が信号を１シンボルずつ遅延させる毎に、各フィルタ係数Ｃｍを更新する。このとき、フィルタ係数算出部４４は、フィルタ係数Ｃｍ毎に、シンボル値ＳＶと期待値との間の差と、フィルタ係数Ｃｍに対する係数更新ゲインと、信号Ｘｍとを乗算し、乗算結果を累積して、得られた累積値を新たなフィルタ係数Ｃｍとして出力する。ここで、主波に対応するタップのフィルタ係数がＣａであるとする（ａは０≦ａ≦ｎを満たす整数）。フィルタ係数算出部４４は、検出信号ＤＳが１である場合には、フィルタ係数Ｃａに対する係数更新ゲインのみを検出信号ＤＳが０である場合よりも大きくする（例えば４倍にする）。
【００３５】
このように、図７の波形等化部４０は、位相誤差変動に応じて係数更新ゲインを適応制御するので、位相誤差変動がある場合であっても精度の高い復調が可能となる。
【００３６】
なお、位相変動検出部３０に関して、誤差情報ＥＲを平均する回数や、位相誤差ＰＥを遅延させる時間を例示して説明したが、他の回数や他の時間を採用してもよい。
【００３７】
また、位相誤差ＰＥを遅延させる時間として複数通りの時間（例えば１００セグメントに相当する時間及び２０セグメントに相当する時間）を設定し、位相変動検出部３０が設定された時間に対応する位相誤差変動の有無を求めるようにしてもよい。この場合、検出信号ＤＳが、設定された時間に対応させて閾値との比較結果を表すようにし、検出信号ＤＳに応じてより細かく係数更新ゲインを制御するようにしてもよい。
【００３８】
また、フィルタ係数算出部４４が、特定のフィルタ係数についてのみ係数更新ゲインを大きくすると説明したが、その周辺の複数のフィルタ係数についても係数更新ゲインを大きくするようにしてもよいし、全てのフィルタ係数について係数更新ゲインを大きくするようにしてもよい。
【００３９】
また、波形等化部４０として最も単純な構成例を示したが、波形等化部４０の構成はこれには限らない。
【００４０】
図８は、図３のＶＳＢ復調装置の変形例の構成を示すブロック図である。図８のＶＳＢ復調装置２００は、位相変動検出部３０に代えて位相変動検出部２３０Ａ，２３０Ｂを有し、伝送路推定部２及び波形等化部４０に代えて伝送路推定部２０２及び波形等化部２４０を有している点の他は、図３のＶＳＢ復調装置１００と同様に構成されている。
【００４１】
伝送路推定部２０２は、図３の伝送路推定部２と同様に遅延プロファイルを求める。伝送路推定部２０２は、得られた遅延プロファイルにおける最大値がＶＳＢ変調信号の主波に対応し、２番目に大きい極大値がＶＳＢ変調信号の遅延波に対応すると見なし、これらの主波及び遅延波に同期するフィールドの先頭タイミングを生成し、更にタイミング信号ＳＤ１，ＳＤ２を生成する。
【００４２】
タイミング信号ＳＤ１の上位１ビットは、主波のセグメント同期成分のうち、第２シンボル時に１、それ以外では０となる。タイミング信号ＳＤ２の上位１ビットは、主波のセグメント同期成分の第３シンボル時に１、それ以外では０となる。タイミング信号ＳＤ１の下位１ビットは、遅延波のセグメント同期成分のうち、第２シンボル時に１、それ以外では０となる。タイミング信号ＳＤ２の下位１ビットは、遅延波のセグメント同期成分の第３シンボル時に１、それ以外では０となる。また、伝送路推定部２０２は、主波と遅延波との間の遅延差を遅延情報ＤＩとして出力する。
【００４３】
位相変動検出部２３０Ａは、タイミング信号Ｓ１，Ｓ２に代えてタイミング信号ＳＤ１，ＳＤ２の上位１ビットが入力される点の他は、図４の位相変動検出部３０と同様に構成されている。位相変動検出部２３０Ｂは、タイミング信号Ｓ１，Ｓ２に代えてタイミング信号ＳＤ１，ＳＤ２の下位１ビットが入力される点の他は、図４の位相変動検出部３０と同様に構成されている。また、位相変動検出部２３０Ａ，２３０Ｂは、閾値との比較結果を検出信号ＤＳＤの上位１ビット及び下位１ビットとしてそれぞれ出力する。
【００４４】
図９は、図８の波形等化部２４０の構成例を示すブロック図である。波形等化部２４０は、フィルタ係数算出部４４に代えてフィルタ係数算出部２４４を有している点の他は、図７の波形等化部４０と同様に構成されている。いま、主波と遅延波との間の遅延差を表す遅延情報ＤＩがｂ−ａを示していて、主波に対応するタップのフィルタ係数がＣａであるとする（ａ，ｂは０≦ａ＜ｂ≦ｎを満たす整数）。このとき、遅延波に対応するタップのフィルタ係数はＣｂである。
【００４５】
フィルタ係数算出部２４４は、検出信号ＤＳＤの上位ビットが０、下位ビットが１である（遅延波にのみ位相誤差変動がある）場合には、フィルタ係数Ｃｂに対する係数更新ゲインのみを大きく（例えば４倍に）する。また、フィルタ係数算出部２４４は、検出信号ＤＳＤの上位ビットが１、下位ビットが０である（主波にのみ位相誤差変動がある）場合には、フィルタ係数Ｃａに対する係数更新ゲインのみを大きく（例えば４倍に）する。フィルタ係数算出部２４４は、その他の点は図７のフィルタ係数算出部４４と同様である。
【００４６】
このように、図８のＶＳＢ復調装置によると、遅延波に対しても位相誤差変動を検出することが可能となり、特に、主波又は遅延波のいずれか一方のみに位相誤差変動があるような場合にも、精度の高い復調が可能となる。
【００４７】
なお、フィルタ係数算出部２４４が、特定のフィルタ係数についてのみ係数更新ゲインを大きくすると説明したが、その周辺の複数のフィルタ係数についても係数更新ゲインを大きくするようにしてもよい。
【００４８】
図１０は、図３のＶＳＢ復調装置１００を有するテレビ受像機１１０の構成を示すブロック図である。テレビ受像機１１０は、チューナ部１１１と、図３のＶＳＢ復調装置１００と、バックエンド部１１３とを有している。
【００４９】
チューナ部１１１は、ＶＳＢ変調された高周波信号ＶＢＲをアンテナ等から受信し、高周波信号ＶＢＲに対して選局及びベースバンド信号への変換処理を行い、得られたＶＳＢ変調された受信信号ＶＢＢを出力する。ＶＳＢ復調装置１００は、上述のように受信信号ＶＢＢに対して復調処理を行い、得られたストリームＭＴＳを復調結果として出力する。バックエンド部１１３は、ストリームＭＴＳに対してデコード処理を行い、得られた映像／音声信号ＡＶＳを出力する。
【００５０】
ＶＳＢ復調装置１００は、位相誤差変動がある場合であっても精度の高い復調が可能であるので、テレビ受像機１１０は、受信環境が変動する（例えば自動車の往来が多い）場所においても、綺麗な映像／音声信号を出力することが可能である。
【００５１】
なお、図１０のテレビ受像機において、ＶＳＢ復調装置１００に代えて、図８のＶＳＢ復調装置２００を用いるようにしてもよい。
【産業上の利用可能性】
【００５２】
以上説明したように、本発明は、その一例示的実施形態によると、位相誤差変動がある場合であっても精度の高い復調が可能であるので、復調装置やこれを用いたテレビ受像機等について有用である。
【図面の簡単な説明】
【００５３】
【図１】北米等で採用されている放送規格（ＡＴＳＣ）に規定されたデータフレーム構成を示す説明図である。
【図２】（ａ）は、時間０において同相成分として１を送信する場合に、同相成分の信号強度と、送信側のＶＳＢフィルタの影響で発生する直交成分の信号強度との例を示すグラフである。（ｂ）は、時間１において同相成分として−１を送信する場合に、同相成分の信号強度と、送信側のＶＳＢフィルタの影響で発生する直交成分の信号強度との例を示すグラフである。
【図３】本発明の実施形態に係るＶＳＢ復調装置の構成を示すブロック図である。
【図４】図３の位相変動検出部の構成例を示すブロック図である。
【図５】図３のタイミング信号Ｓ１，Ｓ２、同相成分Ｉ、及び直交成分Ｑの例を示すタイミングチャートである。
【図６】（ａ）は、位相誤差がない時におけるセグメント同期成分の第２及び第３シンボルの同相成分及び直交成分を示す説明図である。（ｂ）は、正方向の位相誤差がある場合に検出される同相成分を示す説明図である。（ｃ）は、負方向の位相誤差がある場合に検出される同相成分を示す説明図である。
【図７】図３の波形等化部の構成例を示すブロック図である。
【図８】図３のＶＳＢ復調装置の変形例の構成を示すブロック図である。
【図９】図８の波形等化部の構成例を示すブロック図である。
【図１０】図３のＶＳＢ復調装置を有するテレビ受像機の構成を示すブロック図である。
【符号の説明】
【００５４】
２，２０２  伝送路推定部
３０，２３０Ａ，２３０Ｂ  位相変動検出部
４０，２４０  波形等化部
１００，２００  ＶＳＢ復調装置
１１０  テレビ受像機
１１１  チューナ部
１１３  バックエンド部
【手続補正３】
【補正対象書類名】図面
【補正対象項目名】全図
【補正方法】変更
【補正の内容】
【図１】
2009041046.tif 000013
【図２】
2009041046.tif 000014
【図３】
2009041046.tif 000015
【図４】
2009041046.tif 000016
【図５】
2009041046.tif 000017
【図６】
2009041046.tif 000018
【図７】
2009041046.tif 000019
【図８】
2009041046.tif 000020
【図９】
2009041046.tif 000021
【図１０】
2009041046.tif 000022
【国際調査報告】
2009041046.tif 000023
2009041046.tif 000024
2009041046.tif 000025
2009041046.tif 000026